(57)【要約】【課題】例えば、監視カメラの夜間撮影の赤外線光源及び一般照明の構造に応用することができるＬＥＤランプの構造を提供する。【解決手段】発光ダイオード（ＬＥＤ）を光源とし、ＬＥＤチップの片面は熱伝導に優れているブロック状の金属上に配設され、該ブロック状の金属は平面（散光用）又は凹面（集光用）とし、ＬＥＤチップは熱エネルギーを発し、放熱体の構造はＬＥＤチップの温度を下げるものであり、放熱構造と接触する面を大幅に拡大し、ＬＥＤチップが発する熱を迅速に発散する。複数のＬＥＤチップを含む放熱体は絶縁フレーム内に設置されて金属基台上に配設されている。【選択図】  図２
0003108651.tif 000002
【実用新案登録請求の範囲】
【請求項１】
一面に平面又は凹面を形成し、別の片面を絶縁フレーム内に配置するＬＥＤチップを配設した金、銀、銅、アルミニウムなどにより形成した金属製の放熱体と、
両端に異なるサイズのめねじを有し、一方のめねじをＬＥＤ底部外殻に形成したおねじに螺合し、他方のめねじをランプカバーのおねじに螺合し、且つ該めねじの前端の平面に前記金属製の放熱体を配設し、この金属製の放熱体が吸収した熱エネルギーを吸収すると共に拡散する銅製の熱伝導基台と、
枠を有し、前記放熱体を挟み込み決められた位置に固定すると共に、片端を前記熱伝導基台の前端平面に配設した絶縁フレームと、
を備えたことを特徴とするLEDランプの構造。
【請求項２】
前記放熱体の形状は、円柱形又は四角柱形を呈し、該金属製の放熱体は絶縁フレーム内に置かれ、前記熱伝導基台上に配設することを特徴とする請求項１に記載のLEDランプの構造。
【請求項３】
前記熱伝導基台は、連結構造を有するため他の放熱装置と結合し、或いは該熱伝導基台自体が外形の構造となり、
且つ前記熱伝導基台の片端のめねじとＬＥＤ底部外殻のおねじは螺合し、該めねじはＬＥＤ底部外殻に螺合する以外に他の形体の放熱器に螺合することができ、
さらに該熱伝導基台内部に凹型溝を設け、該凹型溝はLEDランプの電源線のための導線孔とすることを特徴とする請求項１に記載のLEDランプの構造。
【請求項４】
前記ランプカバーは、前記熱伝導基台と螺合して放熱を助け、且つ該ランプカバー内縁は放物線状のアーチを呈し、該ランプカバー前端にレンズを設置することを特徴とする請求項１に記載のLEDランプの構造。
【考案の詳細な説明】
【技術分野】
【０００１】
本考案は、発光ダイオードを光源に用いたＬＥＤランプの構造の改良に関する。  
【背景技術】
【０００２】
発光ダイオードを光源に用いたランプは、熱伝導に優れるブロック状の金属製の放熱体を用い、該放熱体上方にＬＥＤ（赤外線）チップを埋め込み、該チップは平面状（放熱用）を呈し、或いは凹型状（集光用）を呈している。前記ＬＥＤチップは、熱エネルギーを発生し、放熱体により迅速に吸収し、それによってＬＥＤチップの温度を下げ、更に、前記放熱体の吸収する熱は銅又はアルミ材質の金属製の熱伝導基台上へ伝導され、前記放熱体及びＬＥＤチップの温度を下げ、該熱伝導基台は熱エネルギーを放熱器へ伝導し、更に放熱器の熱エネルギーは大気中へ拡散される。
【０００３】
一方、ランプカバーは、アルミ合金材質からなり、該ランプカバー内縁は滑らかな放物線のアーチ状を呈し、異なる拡散角度により、発光ダイオードの光束を集中反射し、該ランプカバーと熱伝導基台は結合し、固定と保護を図る役割の外殻となり、並びに直接熱伝導基台の熱エネルギーを吸収し、全体的な構造は、耐熱性及び衝撃性に強いＬＥＤランプの構造となる。
【０００４】
図１に示すように、従来のＬＥＤランプ１の構造は、外殻１１、レンズ１２、ＬＥＤ１３、外カバー１４により構成され、前記ＬＥＤ１３はレンズ１２の周囲外縁に配設され、該ＬＥＤ１３とレンズ１２とは外殻１１内部に配設し、且つ外殻１１の外縁上方は外カバー１４に覆われて構成されている。
【０００５】
前記ＬＥＤランプ１の構造は、レンズ１２が大部分の空間を占め、コストがかかり、且つＬＥＤ１３が発する光束のエネルギーに限りがあり、該光束が照らす範囲も小さく、距離も短い。
【考案の開示】
【考案が解決しようとする課題】
【０００６】
上述した従来のＬＥＤランプの構造は、発光ダイオードの数量を多く必要とし、体積も大きく幅も増加する。多くの発光ダイオードを長時間点灯すると熱エネルギーが非常に高くなり、且つ例えば密閉製の監視カメラの中に設置されている場合は、発光チップはすぐに焼けてしまい、及び発光ダイオードの透明度がミスト化してしい、発光ダイオードの使用寿命が短くなってしまう。
【０００７】
次に、下記に従来構造の欠点を挙げる。
【０００８】
１．                                                                    従来の光源はレンズ外周縁にあり、且つレンズが必要とする光源を補うために発光ダイオードを数多く必要とし、大きな体積を必要とする。
【０００９】
２．                                                                     発光ダイオードの数が多く、長時間使用すると熱エネルギーが非常に高くなり、且つ密閉製の監視カメラ内に設置されている場合は、ＬＥＤチップはすぐに高熱のため焼けてしまい及び発光ダイオードの透明パッケージがミスト化されてしまい、発光ダイオードの寿命も短い。
【００１０】
３．                                                                    発光ダイオードのチップは、透明のパッケージ体によりパッケージされており、チップが発散する熱エネルギーは金属支柱により放熱されるだけであるため、チップの明るさと電流は正比例の関係にあるため、発光ダイオードが必要とする電流量は制限される。
【００１１】
本考案は、上述した点に鑑みてなされたもので、発光ダイオードの使用寿命が長く、かつランプ体積が小さく、迅速に放熱ができるLEDランプの構造を提供することを目的とする。
【課題を解決するための手段】
【００１２】
前記目的を達成するため本考案によるＬＥＤランプの構造は、  一面に平面又は凹面を形成し、別の片面を絶縁フレーム内に配置するＬＥＤチップを配設した金、銀、銅、アルミニウムなどにより形成した金属製の放熱体と、両端に異なるサイズのめねじを有し、一方のめねじをＬＥＤ底部外殻に形成したおねじに螺合し、他方のめねじをランプカバーのおねじに螺合し、且つ該めねじの前端の平面に前記金属製の放熱体を配設し、この金属製の放熱体が吸収した熱エネルギーを吸収すると共に拡散する銅製の熱伝導基台と、枠を有し、前記放熱体を挟み込み決められた位置に固定すると共に、片端を前記熱伝導基台の前端平面に配設した絶縁フレームと、を備えたことを特徴とする。
【考案の効果】
【００１３】
本考案によれば、下記の効果を達成することができる。
【００１４】
１．数個の放熱体を一個の熱伝導基台上に集めることにより、光源が集まって光束を形成して、一個の発光構造体だけで例えば監視カメラが必要とする光源とすることができ、費用を節約することができる。
【００１５】
２．ＬＥＤチップが発散する熱エネルギーを放熱体、熱伝導基台、放熱器、及びランプカバーを経由して迅速に大気中へ放出でき、迅速に放熱することができ、ランプ寿命が長く、しかもLEDランプの体積を小さくできる。
【００１６】
３．ＬＥＤチップの熱エネルギーを迅速に放熱し、且つＬＥＤチップの外周はパッケージされておらず、ＬＥＤチップは更に大きな電流量を受けることができ、ＬＥＤチップの明るさ並びに光源の効率を高めることができる。
【考案を実施するための最良の形態】
【００１７】
以下、図面を参照して本考案の実施例を説明する。
【実施例】
【００１８】
図２、３及び図４に示すように、本考案実施例のLEDランプの構造は、LEDランプ２、ＬＥＤ底部外殻２１、電源線２３２、ＬＥＤ底部２２、銅製の熱伝導基台２３、放熱体２４、フレーム２４２、ランプカバー２５、レンズ２５２により構成されている。  前記放熱体２４は、金、銀、銅、アルミなどによる金属材料により形成されている。前記ＬＥＤ底部外殻２１内縁には、おねじ２１１を形成し、該おねじ２１１はＬＥＤ底部２２の外縁に形成するめねじ２２１に螺合している。前記ＬＥＤ底部外殻２１内縁のおねじ２１１は、衝撃に強く、且つ該おねじ２１１は他の構造上に螺合することもできるようになっている。
【００１９】
前記ＬＥＤ底部２２内部には、電源線２３２が配設され、該電源線２３２から直流の電源を発光ダイオード（LED）へ供給するようになっている。前記赤外線底部２２の前端には、銅製の熱伝導基台２３を設け、該銅製の熱伝導基台２３の体積は放熱体２４よりも大きく、放熱体２４の熱源を吸収し、並びに迅速に発散するようになっている。前記銅製の熱伝導基台２３前端には、めねじ２３１を設け、該めねじ２３１の前端に積載台２３３を設けている。この積載台２３３は、ＬＥＤチップを有する複数の放熱体２４を決められた位置へ設置させるようになっている。数個の放熱体２４間には、絶縁フレーム２４２を設け、該絶縁フレーム２４２は蜂の巣状を呈す、或いは不規則な網状を呈している。
【００２０】
前記絶縁フレーム２４２は、前記放熱体２４をしっかりと挟み込み、該放熱体２４の前端の平面にＬＥＤチップ２４１を設けている。前記放熱体２４の質量は、ＬＥＤチップ２４１より大きいため、熱伝導優れ、且つ放熱製に優れている。前記フレーム２４２前端には、ランプカバー２５が設けられており、該ランプカバー２５内は放物線のアーチを呈し、異なる拡散角度を利用して該アーチ面はＬＥＤチップに光源を集中して反射させ、並びにＬＥＤチップ２４１の明るさも増すようになっている。前記ランプカバー２５内縁には、おねじ２５１が設けられ、該おねじ２５１と銅製の熱伝導基台２３のめねじ２３１とが螺合している。
【００２１】
前記ランプカバー２５は、固定と保護の役割を果たす外殻を形成し、並びに銅製の熱伝導基台２３の熱エネルギーを直接吸収し、全体的に耐熱製及び衝撃製に優れた構造となっている。なお、図中符号２５２はガラス、２６はＬＥＤランプ構造体、２７はレンズである。
【００２２】
図５及び図６は本実施例の変形例を示している。この変形例は、熱伝導基台２３を螺合するランプカバー２５の代わりに、四角形状の放熱器２８を用いたものである。
【００２３】
また図７ないし図９はさらに別の変形例を示している。この変形例は、熱伝導基台２３を螺合するランプカバー２５の代わりに、円形状の放熱器２９を用いたものである。
【図面の簡単な説明】
【００２４】
【図１】従来におけるＬＥＤランプ構造の立体図である。
【図２】本考案実施例におけるＬＥＤランプの構造の分解斜視図である。
【図３】本考案実施例におけるＬＥＤランプの構造の斜視図である。
【図４】本考案実施例におけるＬＥＤランプの構造の断面図である。
【図５】変形例である四角形放熱器の分解斜視図である。
【図６】図５の斜視図である。
【図７】他の変形例である円形の放熱器の分解斜視図である。
【図８】図７における円形の放熱器の説明図である。
【図９】図７におけるＬＥＤランプの構造の説明図である。
【符号の説明】
【００２５】
１        赤外線
２        ＬＥＤランプ
１１      外殻
１２      レンズ
１３      ＬＥＤ
１４      外カバー
２１      ＬＥＤ底部外殻
２１１    おねじ
２２      ＬＥＤ底部
２２１    めねじ
２３      銅製の熱伝導基台
２３１    めねじ
２３２    電源線
２３３    積載台
２４      放熱体
２４１    チップ
２４２    フレーム
２５      ランプカバー
２５１    おねじ
２５２    ガラス
２６      ＬＥＤランプ構造体
２７      レンズ
２８      四角形放熱器
２９      円形放熱器
代理人  弁理士  伊藤  進
【図１】
0003108651.tif 000003
【図２】
0003108651.tif 000004
【図３】
0003108651.tif 000005
【図４】
0003108651.tif 000006
【図５】
0003108651.tif 000007
【図６】
0003108651.tif 000008
【図７】
0003108651.tif 000009
【図８】
0003108651.tif 000010
【図９】
0003108651.tif 000011